(57)【要約】      （修正有）【課題】細断屑を均しながら圧縮して、細断屑の廃棄作業を頻繁に行わなくても良い、文書細断機の細断屑拡散・圧縮装置を提供する。【解決手段】細断機構２の下部で、細断屑収容箱３との中間位置に配設された拡散・圧縮装置４は、スライド支持体５にフラッパー６が斜め下向きに配設されて、その傾斜角度が変化するように揺動自在に装着されてなる均し・圧縮部材７と、当該均し・圧縮部材を前記細断屑収容箱の左右横幅の範囲内で左右方向に往復運動できるようにした往復運動機構と、前記均し・圧縮部材のフラッパーを往復運動しながら揺動できるようにした揺動機構とからなり、当該フラッパーを、左右方向に往復運動しながら揺動することにより、上方の前記細断機構から下方位置に設置された細断屑収容箱内へ落下してくる細断屑をその落下途中で拡散するとともに、細断屑収容箱内に堆積した細断屑の山を均しながら押厚して圧縮する。【選択図】図１
2004154676.tif 000002
【特許請求の範囲】
【請求項１】
箱形本体と、当該箱形本体内の上部位置に配設されたカッター部とその駆動部とからなる細断機構と、箱形本体における細断機構の下方位置に配設された細断屑収容箱と、当該箱形本体内の細断機構の下部で、細断屑収容箱との中間位置に配設された拡散・圧縮装置を備えてなる文書細断機において、当該拡散・圧縮装置は、スライド支持体にフラッパーが斜め下向きに配設されていて、その傾斜角度が変化するように揺動自在に装着されてなる均し・圧縮部材と、当該均し・圧縮部材を前記細断屑収容箱の左右横幅の範囲内で左右方向に往復運動できるようにした往復運動機構と、前記均し・圧縮部材のフラッパーを往復運動しながら揺動できるようにした揺動機構とからなり、
当該フラッパーを、左右方向に往復運動しながら揺動することにより、上方の前記細断機構から下方位置に設置された細断屑収容箱内へ落下してくる細断屑をその落下途中で拡散するとともに、細断屑収容箱内に堆積した細断屑の山を均しながら押圧して圧縮するようにしたことを特徴とする文書細断機の細断屑拡散・圧縮装置。
【請求項２】
箱形本体と、当該箱形本体内の上部位置に配設されたカッター部とその駆動部とからなる細断機構と、箱形本体における細断機構の下方位置に配設された細断屑収容箱と、当該箱形本体内の細断機構の下部で、細断屑収容箱との中間位置に配設された拡散・圧縮装置を備えてなる文書細断機において、当該拡散・圧縮装置は、スライド支持体にフラッパーが斜め下向きに配設されていて、その傾斜角度が変化するように傾斜角度が揺動自在に装着されている均し・圧縮部材と、当該均し・圧縮部材を前記細断屑収容箱の左右横幅の範囲内で左右方向に往復運動できるようにした往復運動機構と、前記均し・圧縮部材のフラッパーを揺動できるようにした揺動機構とからなり、
前記均し・圧縮部材は、揺動軸の両端部に一対のスライド支持体を軸着し、当該揺動軸の中央部にはフラッパーを固着するとともに、カムローラーシャフトを介してカムローラを装着しておき、更に当該揺動軸の少なくとも一方の端部には揺動レバーを固定しておき、前記一対のスライド支持体には、それぞれスライドローラが装設してあるとともに、前記揺動レバーと対応するスライド支持体にはバネ支持ピンが固着されていて、前記揺動レバーとバネ支持ピンとの間に引っ張りバネを装着して、斜め下向きに配設されているフラッパーが、引っ張りバネの引っ張り力により、平時は当該フラッパーが前記細断屑収容箱の外で水平に近い浅い角度位置に定点待機しており、カムローラがカム体に案内されることによって当該フラッパーの傾斜角度が前記細断屑収容箱内に入るように深く変化する揺動運動を繰り返すように構成されており、
前記往復運動機構は、前記箱形本体内の中間フレームに、前後方向に配した一対の往復運動用スライドレール体を前記細断屑収容箱の前後奥行幅に対応するよう並行に吊下配設してあり、
当該一対のスライドレール体には、スライドガイド溝が穿設されており、当該スライドガイド溝には、前記スライド支持体がスライドローラを介して嵌合して、前記均し・圧縮部材が、細断屑収容箱の左右横幅の範囲内を左右方向に往復自在なるように装着しておくとともに、
前記一対のスライドレール体の左右両端部には、それぞれプーリーが装着されていて、当該左右のプーリー間にはスライド支持体の固着されたタイミングベルトが係合装着されており、プーリーに装着された駆動モーターの駆動によりタイミングベルトを左右に移動させ、これに固着されたスライド支持体を介して前記均し・圧縮部材を前記細断屑収容箱の左右横幅の範囲内で左右方向に往復運動できるように構成しておき、
前記揺動機構は、前記細断屑収容箱の左右横幅の長さに対応した長尺なカム体を配設し、これにカムローラが接触係合するように構成するが、当該長尺なカム体は、前記フラッパーを揺動運動させる長尺な波形部とその一方端部に設けた前記フラッパーが前記細断屑収容箱の上方外部位置の浅い角度に待避するようになす待機案内部を形成しておき、
前記均し・圧縮部材が前記往復運動機構の作動によって左右方向に往復運動することにより、カムローラが長尺なカム体の波形部に接触係合しながらカムローラが案内されることによって前記フラッパーの傾斜角度が前記細断屑収容箱内に入るように深く変化する揺動運動を繰り返し、前記均し・圧縮部材が一方端部に移動したとき、前記カムローラが前記カム体の待機案内部に接触係合して前記フラッパーの傾斜角度が前記細断屑収容箱の上方外部位置の浅い角度に待避しその位置で定点待機することができるように構成されていることを特徴とする文書細断機の細断屑拡散・圧縮装置。
【請求項３】
前記揺動機構が、前記細断屑収容箱の左右横幅の長さに対応した長尺な波形のカム体と、当該カム体の左右両端部には上下動するように揺動するリンクアームを介して中間フレームに装着しており、当該リンクアームには、駆動用ソレノイドとリンクアーム引っ張りバネが装着されていて、平時は、当該リンクアームがリンクアーム引っ張りバネに引っ張られて上方に維持され、長尺な波形のカム体がカムローラとの接触係合を解いて上方位置に定点待機するようになし、駆動用ソレノイドを作動して当該リンクアームが下方に維持されると、長尺な波形のカム体は、カムローラと接触係合するように下方位置に維持されるように構成しておき、
前記均し・圧縮部材が前記往復運動機構の作動によって左右方向に往復運動することにより、カムローラが長尺な波形のカム体に接触係合しながらカムローラが案内されることによって前記フラッパーの傾斜角度が前記細断屑収容箱内に入るように深く変化する揺動運動を繰り返すように構成されていることを特徴とする請求項１又は請求項２に記載する文書細断機の細断屑拡散・圧縮装置。
【請求項４】
文書細断機が作動していない平時には、細断機構の下方に配設された前記均し・圧縮部材のフラッパーは、カムローラとカム体との接触係合が解かれて前記細断屑収容箱の上方外部位置に浅い角度で定点待機しており、文書細断機が作動している間は、カムローラとカム体との接触係合して、前記フラッパーの傾斜角度が前記細断屑収容箱内に入るように深く変化する揺動運動を繰り返すように構成されていることを特徴とする請求項１又は請求項３に記載する文書細断機の細断屑拡散・圧縮装置。
【発明の詳細な説明】
【０００１】
【産業上の利用分野】
本発明は、不要になった用紙類を細断する文書細断機を改良し、細断屑を均しながら圧縮して、細断屑の廃棄作業を頻繁に行わなくても良いようにする文書細断機の細断屑拡散・圧縮装置に関する。
【０００２】
【従来の技術】
従来より、文書細断機においては、細断した屑を細断屑収容箱に拡散しながら堆積し、これを均したり圧縮しながら詰め込み、細断屑の廃棄作業を頻繁に行う必要をなくそうという要請がある。その要請に応えるため各方面から各種の細断屑の拡散装置や圧縮装置が提案されている。しかし、これら先行技術を試験的に実施してみると、それなりの効果はあってもまだまだ技術的課題が残っており、機種に適合したその有効性と経済性の両立したものは少なく、満足できなかった。
【０００３】
特に、小型又は薄型の文書細断機の機種の場合には、細断屑収容箱も小さく、収容量能力も少なく、頻繁に細断屑の廃棄作業を行わなければならないうえ、細断屑の均し装置や圧縮装置も小型にしなければならない。このため、従来の細断屑の拡散装置や圧縮装置をそのまま設置することが出来なかったり、その性能が満足できなかったりしていた。即ち、小型又は薄型の文書細断機における細断屑の均し装置や圧縮装置は、より小型でより高性能なものであることが要請されるのである。
【０００４】
このような小型又は薄型文書細断機用に適した細断チップ均し装置としては、例えば実用新案登録第３０３５７７８号や、特開２００２−１５３７６６号などのチップ均し装置が提案されている。本発明者は、これら従来例よりも高性能なものに改良した細断屑拡散・圧縮装置を開発せんとするものである。
【０００５】
【発明が解決しようとする課題】
前記従来の小型又は薄型文書細断機用細断チップ均し装置は、使用した結果、更に次のような技術的課題があることが判明した。
【０００６】
前記実用新案登録第３０３５７７８号の細断チップ均し装置は、収納箱の上下動で細断チップを均すようにした構成であるが、細断チップを沈み込ませる作用はあるが、細断チップ屑山の頂部を崩す作用はあまりなかった点に技術的課題がある。
【０００７】
また、前記特開２００２−１５３７６６号のシュレッダ装置の均し装置は、屑払い部材で屑山を一方向に払い寄せる構成である。このため、全体を均一に均すには不充分であるうえ、細断チップの圧縮作用は期待できなかった。
【０００８】
本発明は、均し・圧縮部材を収納箱の長手方向に沿って往復運動させると共に、均し・圧縮部材に揺動運動を付加させることで、均し作用と圧縮作用とを同時に達成させるようになし、細断チップ投棄までの使用時間を延ばすとともに、収納箱に均一に満杯になるまで収納できるようになし、細断チップの満杯状態を視覚的にも使用者に訴えて、使用者の不満を出来るだけ解消せんとするものである。
【０００９】
【解決するための手段】
特許を受けようとする第１発明は、箱形本体と、当該箱形本体内の上部位置に配設されたカッター部とその駆動部とからなる細断機構と、箱形本体における細断機構の下方位置に配設された細断屑収容箱と、当該箱形本体内の細断機構の下部で、細断屑収容箱との中間位置に配設された拡散・圧縮装置を備えてなる文書細断機において、当該拡散・圧縮装置は、スライド支持体にフラッパーが斜め下向きに配設されていて、その傾斜角度が変化するように揺動自在に装着されてなる均し・圧縮部材と、当該均し・圧縮部材を前記細断屑収容箱の左右横幅の範囲内で左右方向に往復運動できるようにした往復運動機構と、前記均し・圧縮部材のフラッパーを往復運動しながら揺動できるようにした揺動機構とからなり、当該フラッパーを、左右方向に往復運動しながら揺動することにより、上方の前記細断機構から下方位置に設置された細断屑収容箱内へ落下してくる細断屑をその落下途中で拡散するとともに、細断屑収容箱内に堆積した細断屑の山を均しながら押圧して圧縮するようにしたことを特徴とする文書細断機の細断屑拡散・圧縮装置である。
【００１０】
特許を受けようとする第２発明は、箱形本体と、当該箱形本体内の上部位置に配設されたカッター部とその駆動部とからなる細断機構と、箱形本体における細断機構の下方位置に配設された細断屑収容箱と、当該箱形本体内の細断機構の下部で、細断屑収容箱との中間位置に配設された拡散・圧縮装置を備えてなる文書細断機において、当該拡散・圧縮装置は、スライド支持体にフラッパーが斜め下向きに配設されていて、その傾斜角度が変化するように傾斜角度が揺動自在に装着されている均し・圧縮部材と、当該均し・圧縮部材を前記細断屑収容箱の左右横幅の範囲内で左右方向に往復運動できるようにした往復運動機構と、前記均し・圧縮部材のフラッパーを揺動できるようにした揺動機構とからなっている。
【００１１】
まず、前記均し・圧縮部材は、揺動軸の両端部に一対のスライド支持体を軸着し、当該揺動軸の中央部にはフラッパーを固着するとともに、カムローラーシャフトを介してカムローラを装着しておき、更に当該揺動軸の少なくとも一方の端部には揺動レバーを固定しておき、前記一対のスライド支持体には、それぞれスライドローラが装設してあるとともに、前記揺動レバーと対応するスライド支持体にはバネ支持ピンが固着されていて、前記揺動レバーとバネ支持ピンとの間に引っ張りバネを装着して、斜め下向きに配設されているフラッパーが、引っ張りバネの引っ張り力により、平時は当該フラッパーが前記細断屑収容箱の外で水平に近い浅い角度位置に定点待機しており、カムローラがカム体に案内されることによって当該フラッパーの傾斜角度が前記細断屑収容箱内に入るように深く変化する揺動運動を繰り返すように構成されている。
【００１２】
次に、前記往復運動機構は、前記箱形本体内の中間フレームに、前後方向に配した一対の往復運動用スライドレール体を前記細断屑収容箱の前後奥行幅に対応するよう並行に吊下配設してあり、当該一対のスライドレール体には、スライドガイド溝が穿設されており、当該スライドガイド溝には、前記スライド支持体がスライドローラを介して嵌合して、前記均し・圧縮部材が、細断屑収容箱の左右横幅の範囲内を左右方向に往復自在なるように装着しておくとともに、前記一対のスライドレール体の左右両端部には、それぞれプーリーが装着されていて、当該左右のプーリー間にはスライド支持体の固着されたタイミングベルトが係合装着されており、プーリーに装着された駆動モーターの駆動によりタイミングベルトを左右に移動させ、これに固着されたスライド支持体を介して前記均し・圧縮部材を前記細断屑収容箱の左右横幅の範囲内で左右方向に往復運動できるように構成しておく。
【００１３】
更に、前記揺動機構は、前記細断屑収容箱の左右横幅の長さに対応した長尺なカム体を配設し、これにカムローラが接触係合するように構成するが、当該長尺なカム体は、前記フラッパーを揺動運動させる長尺な波形部とその一方端部に設けた前記フラッパーが前記細断屑収容箱の上方外部位置の浅い角度に待避するようになす待機案内部を形成しておく。
【００１４】
そのうえで、前記均し・圧縮部材が前記往復運動機構の作動によって左右方向に往復運動することにより、カムローラが長尺なカム体の波形部に接触係合しながらカムローラが案内されることによって前記フラッパーの傾斜角度が前記細断屑収容箱内に入るように深く変化する揺動運動を繰り返し、前記均し・圧縮部材が前記往復運動機構の作動によって一方端部に移動したとき、前記カムローラが前記カム体の待機案内部に接触係合して前記フラッパーの傾斜角度が前記細断屑収容箱の上方外部位置の浅い角度に待避しその位置で定点待機することができるように構成されている。
【００１５】
更に又、特許を受けようとする第３発明は、第２発明に係る文書細断機の細断屑拡散・圧縮装置の前記揺動機構の部分を設計変更した他実施態様の発明である。即ち、第３発明の前記揺動機構は、前記細断屑収容箱の左右横幅の長さに対応した長尺な波形のカム体と、当該カム体の左右両端部には上下動するように揺動するリンクアームを介して中間フレームに装着しており、当該リンクアームには、駆動用ソレノイドとリンクアーム引っ張りバネが装着されていて、平時は、当該リンクアームがリンクアーム引っ張りバネに引っ張られて上方に維持され、長尺な波形のカム体がカムローラとの接触係合を解いて上方位置に定点待機するようになし、駆動用ソレノイドを作動して当該リンクアームが下方に維持されると、長尺な波形のカム体は、カムローラと接触係合するように下方位置に維持されるように構成しておく。
【００１６】
その上で、前記均し・圧縮部材が前記往復運動機構の作動によって左右方向に往復運動することにより、カムローラが長尺な波形のカム体に接触係合しながらカムローラがカムに案内されることによって前記フラッパーの傾斜角度が前記細断屑収容箱内に入るように深く変化する揺動運動を繰り返すように構成されていることを特徴とする文書細断機の細断屑拡散・圧縮装置である。
【００１７】
特許を受けようとする第４発明は、文書細断機が作動していない平時には、細断機構の下方に配設された前記均し・圧縮部材のフラッパーは、カムローラとカム体との接触係合が解かれて前記細断屑収容箱の上方外部位置に浅い角度で定点待機しており、文書細断機が作動している間は、カムローラとカム体との接触係合して、前記フラッパーの傾斜角度が前記細断屑収容箱内に入るように深く変化する揺動運動を繰り返すように構成されていることを特徴とする請求項１又は請求項２に記載する文書細断機の細断屑拡散・圧縮装置である。
【００１８】
【実施例】
以下、本発明を図示実施例に基づき詳細に説明する。
図１は、本発明に係る細断屑拡散・圧縮装置を装備した文書細断機の構成を示す縦断正面図であり、図２は、本発明に係る細断屑拡散・圧縮装置を装備した文書細断機の構成を示す縦断側面図であり、図３は、文書細断機に本発明に係る細断屑拡散・圧縮装置を装備した状態を示す横断平面図である。更に図４本発明に係る細断屑拡散・圧縮装置を装備した文書細断機において、前記均し・圧縮部材が、傾斜状態に設置されており、細断屑収容箱の左右横幅の範囲内を左右方向に往復自在なるように装着した状態を示す縦断正面図であり、図５は、本発明に係る細断屑拡散・圧縮装置の揺動機構の一実施例とその作動状態を示す要部縦断正面図であり、図６は、本発明に係る揺動機構の他実施例において、その均し・圧縮部材が待機状態にあることを示す要部縦断正面図であり、図７は、本発明に係る揺動機構の他実施例が作動状態にあるときの均し・圧縮部材の動きを示す要部縦断正面図であり、図８は、本発明に係る揺動機構の他実施例が作動状態にあるときの均し・圧縮部材が、細断屑収容箱の左右横幅の範囲内を左右方向に往復運動しながら揺動運動する作動状態を示す要部縦断正面図である。
【００１９】
本発明は、箱形本体１と、当該箱形本体１内の上部位置に配設されたカッター部２ａとその駆動部２ｂとからなる細断機構２と、箱形本体１における細断機構２の下方位置に配設された細断屑収容箱３と、当該箱形本体１内の細断機構２の下部で、細断屑収容箱３との中間位置に配設された拡散・圧縮装置４を備えてなる文書細断機に関する。
【００２０】
当該拡散・圧縮装置４は、スライド支持体５にフラッパー６が斜め下向きに揺動自在に装着されている均し・圧縮部材７と、当該均し・圧縮部材７を左右方向に往復運動できるようにした往復運動機構８と、前記均し・圧縮部材７のフラッパー６を往復運動しながら揺動できるようにした揺動機構９とからなる。
【００２１】
その作用は、当該フラッパー６を、左右方向に往復運動しながら揺動することにより、上方の前記細断機構２から下方位置に設置された細断屑収容箱３内へ落下してくる細断屑Ａをその落下途中で拡散するとともに、細断屑収容箱３内に堆積した細断屑Ａの山を均しながら押圧して圧縮するようにした文書細断機の細断屑拡散・圧縮装置である。
【００２２】
まず、前記均し・圧縮部材７は、揺動軸１１の両端部に一対のスライド支持体５，５を軸着し、当該揺動軸１１の中央部にはフラッパー６を固着するとともに、カムローラーシャフト１２ａを介してカムローラ１２を装着しておく。更に当該揺動軸１１の少なくとも一方の端部には揺動レバー１３を固定しておく。次に前記一対のスライド支持体５には、それぞれスライドローラ１４，１４が装設してあり、前記揺動レバー１３と対応するスライド支持体５にはバネ支持ピン１５が固着されていて、前記揺動レバー１３とバネ支持ピン１５との間に引っ張りバネ１６を装着して、斜め下向きに配設されているフラッパー６が、前記引っ張りバネ１６の引っ張り力により、常時上方に引き上げられた状態に維持される。
【００２３】
このため、図５、図６、図７、図８に示すように、平時は当該フラッパー６が前記細断屑収容箱２の外で水平に近い浅い角度位置に定点待機しており、カムローラ１２がカム体１７に案内されながら往復運動することによって当該フラッパー６の傾斜角度が前記細断屑収容箱２内に入るように深く変化する揺動運動を繰り返すように構成されている。
【００２４】
次に、前記往復運動機構８は、図３，図４に示すように、前記箱形本体１内の中間フレーム１８に、前後方向に配した一対の往復運動用スライドレール体１９，１９を前記細断屑収容箱２の前後奥行幅に対応するよう並行に吊下配設してあり、当該一対のスライドレール体１９には、スライドガイド溝２０が穿設されており、当該スライドガイド溝２０には、前記スライド支持体５がスライドローラ１４，１４を介して嵌合して、前記均し・圧縮部材７が、細断屑収容箱３の左右横幅の範囲内を左右方向に往復自在なるように装着してある。尚、図中２７，２７は、スライドレール体１９に取り付けた往復運動範囲規制スイッチであり、前記均し・圧縮部材７を左右方向へ往復運動できる範囲を定めるものである。
【００２５】
前記一対のスライドレール体１９，１９の左右両端部には、それぞれプーリーカーラー２８Ａ，２８Ｂを介して、プーリー２１Ａ，２１Ａ，２１Ｂ，２１Ｂが装着されていて、前側の左右のプーリー２１Ａ，２１Ａ間にはスライド支持体５Ａ，５Ｂの固着されたタイミングベルト２２Ａ，２２Ａが係合装着されているとともに、後側の左右のプーリー２１Ａ，２１Ａ間にはスライド支持体５の固着されたタイミングベルト２２が係合装着されており、更に前後一対のプーリー２１Ａ，２１Ｂ間は、伝動軸２３により連結され、前後一対のプーリー２１Ａ，２１Ｂが同期して駆動するように構成されている。従って、プーリー２１Ｂに装着された駆動モーター２４の駆動によりタイミングベルト２２を左右に移動させ、これに固着されたスライド支持体５，５を介して前記均し・圧縮部材７を前記細断屑収容箱３の左右横幅の範囲内で左右方向に往復運動できるように構成しておく。尚、図中２５はモーター取付ブラケットであり、２６はソレノイド取付ブラケットである。
【００２６】
前記揺動機構９は、２態様の設計が考えられる。第１の前記揺動機構９は、図５に示したように、前記細断屑収容箱３の左右横幅の長さに対応した長尺なカム体１７を配設しておき、これに前記カムローラ１２が接触係合するように構成する。当該長尺なカム体１７は、前記フラッパー６を揺動運動させる長尺な波形部１７ａとその一方端部に設けた前記フラッパー６が前記細断屑収容箱３の上方外部位置の浅い角度に待避するようになす待機案内部１７ｂを形成しておく。
【００２７】
前記均し・圧縮部材７が前記往復運動機構８の作動によって左右方向に往復運動することにより、カムローラ１２が長尺なカム体１７の波形部１７ａに接触係合しながらカムローラ１２が案内されることによって前記フラッパー６の傾斜角度が前記細断屑収容箱３内に入るように深く変化する揺動運動を繰り返す。そして、前記均し・圧縮部材７が前記往復運動機構８の作動によって左右方向に往復運動して、前記均し・圧縮部材７が一方端部に移動したとき、前記カムローラ１２が前記カム体１７の待機案内部１７ｂに接触係合して、前記フラッパー６の傾斜角度が前記細断屑収容箱３の上方外部位置の浅い角度に待避し、その位置で定点待機することができるように構成されている。尚，図５中、前記均し・圧縮部材７が一方端部に移動し、前記フラッパー６の傾斜角度が前記細断屑収容箱３の上方外部位置の浅い角度に待避したことを感知するセンサースイッチ３２であり、これによって前記フラッパー６が待避したことを感知すると、前記往復運動機構８の作動を停止し、前記フラッパー６をその位置で定点待機することができるように構成されている。尚、図中３３，３３は、堆積した細断屑の満杯位置を感知する満杯センサーであり、当該満杯センサー３３，３３が押し上げられて満杯状態になったことを感知すると、スイッチ３４，３４が作動して細断機構２の作動を停止する。
【００２８】
他実施例である第２の揺動機構９は、図６、図７、図８に示すように、前記細断屑収容箱３の左右横幅の長さに対応した長尺な波形のカム体１７と、当該カム体１７の左右両端部には上下動するように揺動するリンクアーム２９，２９を介して中間フレーム１８に装着しており、当該リンクアーム２９，２９には、駆動用ソレノイド３０とリンクアーム引っ張りバネ３１が装着されている。そのため、図６に示すように、平時は、当該リンクアーム２９，２９がリンクアーム引っ張りバネ３１に引っ張られて上方に維持され、長尺な波形のカム体１７がカムローラ１２との接触係合を解いて上方位置に定点待機する。これに対し、細断機構２が駆動している時は、駆動用ソレノイド３０を作動して当該リンクアーム２９，２９が下方に維持されると、長尺な波形のカム体１７は、カムローラ１２と接触係合するように下方位置に維持されるように構成する。
【００２９】
本発明は、上記のように構成するので、前記均し・圧縮部材７が前記往復運動機構８の作動によって左右方向に往復運動することにより、カムローラ１２が長尺な波形のカム体１７に接触係合しながらカムローラ１２が案内されることになる。それによって図５、図８に示すように、前記フラッパー６は、左右方向に往復運動しながらの傾斜角度が前記細断屑収容箱３内に入るように深く変化する揺動運動を繰り返すようになる。
【００３０】
本発明に係る文書細断機の細断屑拡散・圧縮装置は、上記のように構成されているので、文書細断機の細断機構２が作動していない平時には、細断機構２の下方に配設された前記均し・圧縮部材７のフラッパー６は、カムローラ１２とカム体１７との接触係合が解かれて前記細断屑収容箱３の上方外部位置に浅い角度で定点待機しており、文書細断機の細断機構２が作動している間は、カムローラ１２とカム体１７との接触係合して、前記フラッパー６の傾斜角度が前記細断屑収容箱３内に入るように深く変化する揺動運動を繰り返すように構成されていることが特徴となっている。
【００３１】
また、前記均し・圧縮部材７のフラッパー６は、細断機構の下方向に向かって傾斜角をもって配設し、進行方向に進むに従って、払いのけた細断屑を押し付け、圧縮する。
【００３２】
更に、前記均し・圧縮部材７のフラッパー６は、細断機構の下方向への払いのける作用を強くしたので、大きい空間部にも、小さい空間部にも均一に堆積できる効果がある。
【００３３】
尚、本発明に係る文書細断機の細断屑拡散・圧縮装置は、細断方式がクロスカット方式の場合に、特に上記効果があがり、好適である。
【００３４】
【発明の効果】
本発明に係る文書細断機の細断屑拡散・圧縮装置は、当該フラッパーを、左右方向に往復運動しながら揺動することにより、上方の前記細断機構から下方位置に設置された細断屑収容箱内へ落下してくる細断屑をその落下途中で拡散するとともに、細断屑収容箱内に堆積した細断屑の山を均しながら押圧して圧縮することができるので、細断屑収容箱内に溜まった細断屑を廃棄するまでの使用時間を延ばし、その廃棄作業の頻度を軽減することが出来る効果がある。
【００３５】
又、文書細断機の細断屑拡散・圧縮装置は、上記のように圧縮密度を高めて使用時間を延ばしたとしても、従来使用者は、細断屑収容箱内に空間があれば不満を示していたので、収納された細断屑が見た目にも均一にならされており、且つ圧縮された状態でありながら満杯であるようにし、使用者の不満を解消するものである。
【図面の簡単な説明】
【図１】本発明に係る細断屑拡散・圧縮装置を装備した文書細断機の構成を示す縦断正面図である。
【図２】本発明に係る細断屑拡散・圧縮装置を装備した文書細断機の構成を示す縦断側面図である。
【図３】文書細断機に本発明に係る細断屑拡散・圧縮装置を装備した状態を示す横断平面図である。
【図４】本発明に係る細断屑拡散・圧縮装置を装備した文書細断機において、前記均し・圧縮部材が、細断屑収容箱の左右横幅の範囲内を左右方向に往復自在なるように装着した状態を示す縦断正面図である。
【図５】本発明に係る細断屑拡散・圧縮装置の揺動機構の一実施例とその作動状態を示す要部縦断正面図である。
【図６】本発明に係る揺動機構の他実施例において、その均し・圧縮部材が待機状態にあることを示す要部縦断正面図である。
【図７】本発明に係る揺動機構の他実施例が作動状態にあるときの均し・圧縮部材の動きを示す要部縦断正面図である。
【図８】本発明に係る揺動機構の他実施例が作動状態にあるときの均し・圧縮部材が、細断屑収容箱の左右横幅の範囲内を左右方向に往復運動しながら揺動運動する作動状態を示す要部縦断正面図である。
【符号の説明】
１：箱形本体
２：細断機構
２ａ：カッター部
２ｂ：駆動部
３：細断屑収容箱
４：拡散・圧縮装置
５：スライド支持体
６：フラッパー
７：均し・圧縮部材
８：往復運動機構
９：揺動機構
１１：揺動軸
１２：カムローラ
１２ａ：カムローラーシャフト
１３：揺動レバー
１４：スライドローラ
１５：バネ支持ピン
１６：引っ張りバネ
１７：カム体
１８：中間フレーム
１９：往復運動用スライドレール体
２０：スライドガイド溝
２１：プーリー
２２：タイミングベルト
２３：伝動軸
２４：駆動モーター
２５：モーター取付ブラケット
２６：ソレノイド取付ブラケット
２７：往復運動範囲規制スイッチ
２８：プーリーカーラー
２９：リンクアーム
３０：駆動用ソレノイド
３１：リンクアーム引っ張りバネ
３２：センサースイッチ
３３：満杯センサー
３４：スイッチ
【図１】
2004154676.tif 000003
【図２】
2004154676.tif 000004
【図３】
2004154676.tif 000005
【図４】
2004154676.tif 000006
【図５】
2004154676.tif 000007
【図６】
2004154676.tif 000008
【図７】
2004154676.tif 000009
【図８】
2004154676.tif 000010